(57)【要約】【課題】メンテナンス性に優れ、スケールの堆積によるフィルターの目詰まりを防止することができる電解水生成装置、及び、この電解水生成装置を備えた除菌システムを提供する。【解決手段】貯水タンク５１と、貯水タンク５１内の水を電気分解して活性酸素種を含む電解水を生成する電解ユニット５２と、電解水を貯水タンク５１の空気除菌部へ供給する電解水供給ポンプとを備え、貯水タンク５１は、このタンク内を電解ユニット５２が設けられる第一の室９０Ａと電解水供給ポンプに連通する第二の室９３とに区分けするとともに、第一の室９０Ａから第二の室９３へ流れる電解水中のスケールを捕捉するスケールフィルター９６と、貯水タンク５１への給水時に、スケールフィルター９６の捕捉面となるフィルター下面９６Ａとは反対側のフィルター上面９６Ｂからスケールフィルター９６に向けて給水する給水ノズル８６Ａとを備えた。【選択図】図１０
2011050810.tif 000002
【特許請求の範囲】
【請求項１】
水槽と、前記水槽内の水を電気分解して活性酸素種を含む電解水を生成する電解ユニットと、前記電解ユニットが生成した電解水を外部機器へ供給する電解水供給ポンプとを備え、
前記水槽内を前記電解ユニットが設けられる第一の室と前記電解水供給ポンプに連通する第二の室とに区分けすると共に、前記第一の室から第二の室へ流れる電解水中の不溶物を捕捉するフィルターと、前記水槽への給水時に、前記フィルターの捕捉面とは反対側の面から当該フィルターに向けて給水する給水手段とを備えることを特徴とする電解水生成装置。
【請求項２】
前記フィルターは、前記捕捉面が下方に向けて配置され、前記給水手段は、前記フィルターの上方に給水口を備えることを特徴とする請求項１に記載の電解水生成装置。
【請求項３】
前記フィルターは、前記捕捉面が前記水槽の底面に対して斜めに設けられていることを特徴とする請求項２記載の電解水生成装置。
【請求項４】
前記水槽は、前記電解ユニットと前記フィルターの捕捉面との間に、排水管が設けられていることを特徴とする請求項１から３のいずれかに記載の電解水生成装置。
【請求項５】
電解水を生成する電解水生成装置と、この電解水生成装置により生成された電解水と空気とを接触させることにより空気を除菌する空気除菌部と、を備えた除菌システムにおいて、
前記電解水生成装置は、水槽と、前記水槽内の水を電気分解して活性酸素種を含む電解水を生成する電解ユニットと、前記電解ユニットが生成した電解水を前記空気除菌部へ供給する電解水供給ポンプとを備え、
前記水槽内を前記電解ユニットが設けられる第一の室と前記電解水供給ポンプに連通する第二の室とに区分けすると共に、前記第一の室から第二の室へ流れる電解水中の不溶物を捕捉するフィルターと、前記水槽への給水時に、前記フィルターの捕捉面とは反対側の面から当該フィルターに向けて給水する給水手段とを備えることを特徴とする除菌システム。
【請求項６】
一つの大空間に開口した複数の吹出口に給気ダクトを介して接続されるチャンバを、上記大空間を有する建物の屋上に設け、このチャンバ内に前記空気除菌部を設けるとともに、前記チャンバ内の前記空気除菌部に電解水を供給する前記電解水生成装置を、前記チャンバとともに屋上に設置して構成されたことを特徴とする請求項５記載の除菌システム。
【発明の詳細な説明】
【技術分野】
【０００１】
本発明は、電解水を生成する電解水生成装置、及び、この電解水生成装置を備えた除菌システムに関する。
【背景技術】
【０００２】
従来、水道水を電気分解して次亜塩素酸を含む電解水を生成させ、この電解水を用いて空気中に浮遊するウィルス等の除去を図った除菌装置が提案されている（例えば、特許文献１参照）。この除菌装置は、不織布等からなる加湿エレメントに電解水を供給して、加湿エレメント上で空気中のウィルス等を電解水に接触せしめ、ウィルス等を不活化することにより、空気を除菌しようとするものである。
【先行技術文献】
【特許文献】
【０００３】
【特許文献１】特開２００２−１８１３５８号公報
【発明の概要】
【発明が解決しようとする課題】
【０００４】
ところで、この種の除菌装置では、電解水を有効に利用するために、生成した電解水を水槽に貯留してこの水槽と加湿エレメント（気液接触部材）との間で循環供給する構成が考えられる。
しかし、電解水を循環させて利用する場合、比較的長い期間、同じ水を循環して利用すると、水が次第に蒸発して、水道水に含まれているカルシウム、マグネシウム、ケイ素等のミネラル分が濃縮する。このため、これらミネラル分が電解水生成時にスケール（不溶物）となって電極上に析出し、電極上から剥がれ落ちたスケールが電解水とともに水槽外に流出することによって、電解水を循環供給するポンプや気液接触部材の目詰まりなどの問題が生じる恐れがある。このため、水槽内に電解水中のスケールを濾過するためのフィルターを設けることが望ましい。
しかし、水槽内に設けられたフィルターには、時間経過とともにスケールが堆積するため、フィルターの目詰まりを防止すべく、定期的にフィルターの点検、洗浄、交換といったメンテナンスに労力を費やさなければいけないという問題があった。
そこで、本発明は、上述した事情に鑑みてなされたものであり、フィルターに堆積したスケールを自動的に除去し、フィルターのメンテナンスの軽減を図った電解水生成装置、及び、この電解水生成装置を備えた除菌システムを提供することを目的とする。
【課題を解決するための手段】
【０００５】
上記課題を解決するため、本発明は、水槽と、前記水槽内の水を電気分解して活性酸素種を含む電解水を生成する電解ユニットと、前記電解ユニットが生成した電解水を外部機器へ供給する電解水供給ポンプとを備え、前記水槽内を前記電解ユニットが設けられる第一の室と前記電解水供給ポンプに連通する第二の室とに区分けすると共に、前記第一の室から第二の室へ流れる電解水中の不溶物を捕捉するフィルターと、前記水槽への給水時に、前記フィルターの捕捉面とは反対側の面から当該フィルターに向けて給水する給水手段とを備えることを特徴とする。
【０００６】
この構成において、前記フィルターは、前記捕捉面が下方に向けて配置され、前記給水手段は、前記フィルターの上方に給水口を備える構成としても良い。また、前記フィルターは、前記捕捉面が前記水槽の底面に対して斜めになるように設けた構成としても良い。また、前記水槽は、前記電解ユニットと前記フィルターの捕捉面との間に、当該水槽内の水を排水する排水管が設けられている構成としても良い。
【０００７】
また、本発明は、電解水を生成する電解水生成装置と、この電解水生成装置により生成された電解水と空気とを接触させることにより空気を除菌する空気除菌部と、を備えた除菌システムにおいて、前記電解水生成装置は、水槽と、前記水槽内の水を電気分解して活性酸素種を含む電解水を生成する電解ユニットと、前記電解ユニットが生成した電解水を前記空気除菌部へ供給する電解水供給ポンプとを備え、前記水槽内を前記電解ユニットが設けられる第一の室と前記電解水供給ポンプに連通する第二の室とに区分けすると共に、前記第一の室から第二の室へ流れる電解水中の不溶物を捕捉するフィルターと、前記水槽への給水時に、前記フィルターの捕捉面とは反対側の面から当該フィルターに向けて給水する給水手段とを備えることを特徴とする。
【０００８】
この構成において、一つの大空間に開口した複数の吹出口に給気ダクトを介して接続されるチャンバを、上記大空間を有する建物の屋上に設け、このチャンバ内に前記空気除菌部を設けるとともに、前記チャンバ内の前記空気除菌部に電解水を供給する前記電解水生成装置を、前記チャンバとともに屋上に設置して構成されたものとしても良い。
【発明の効果】
【０００９】
本発明によれば、電解水生成装置は、水槽と、前記水槽内の水を電気分解して活性酸素種を含む電解水を生成する電解ユニットと、前記電解ユニットが生成した電解水を外部機器へ供給する電解水供給ポンプとを備え、前記水槽は、この水槽内を前記電解ユニットが設けられる第一の室と前記電解水供給ポンプに連通する第二の室とに区分けするとともに、前記第一の室から第二の室へ流れる電解水中の不溶物を捕捉するフィルターと、前記水槽への給水時に、前記フィルターの捕捉面とは反対側の面から当該フィルターに向けて給水する給水手段とを備えたため、給水時にフィルターが逆洗浄され、フィルターの捕捉面に堆積した不溶物を簡単に取り除くことができ、フィルターのメンテナンス作業を軽減化することができる。
【図面の簡単な説明】
【００１０】
【図１】本実施形態にかかるルーフトップ型空気調和機が建屋に設置された状態を示す断面図である。
【図２】空気調和機の概略構成を示す図である。
【図３】空気調和機の内部構成を上方から見た図である。
【図４】空気調和機に設けられた除菌ユニットの概略構成を示す図である。
【図５】電解水循環供給部の構成及び設置状態を示す図である。
【図６】電解水循環供給部の構成を示す分解斜視図である。
【図７】ケース内に配置された各機器の接続状態を示す図である。
【図８】貯水タンクの内部構成を示す斜視図である。
【図９】フィルターフレームの構成を示す視図である。
【図１０】貯水タンクの構成を示す断面視図である。
【発明を実施するための形態】
【００１１】
以下、図面を参照して本発明の実施形態について説明する。
本実施の形態では、大空間施設の一例としての映画館１００に、ルーフトップ型空気調和機（以下、空気調和機という）１１０を設置した場合について説明する。図１は、映画館１００と空気調和機１１０の概略図である。
図１に示すように、映画館１００には、前方にスクリーン１０１が配置され、スクリーン１０１の後方に階段状に客席部１０２が設けられている。一方、映画館１００の天井部１０３には、空気調和機１１０から供給された調和空気を館内に吹き出す複数の吹出口１０４が設けられている。これら吹出口１０４は、給気ダクト１０５を介して、空気調和機１１０の供給口１１１に連結されている。
また、映画館１００の床部１０６には、床部１０６付近の館内空気（内気）を吸い込む吸込口１０７が設けられている。吸込口１０７は、客席部１０２から見てスクリーン１０１の背面側に設けられ、スクリーン１０１の背後空間を上方に延びる吸気ダクト１０８を介して、空気調和機１１０の内気導入口１１２に連結されている。また、空気調和機１１０には、空気調和機１１０内に屋外の空気（外気）を導入する外気導入口１１３が形成されている。
映画館１００内の空気（内気）は、矢印Ｘで示すように、吸込口１０７から吸い込まれ、吸気ダクト１０８及び内気導入口１１２を通じて、空気調和機１１０内に導かれる。ここで、空気調和機１１０内には、外気導入口１１３を通じて外気が導かれているため、この外気と上記内気とが当該空気調和機１１０内で混合される。この混合された空気は、空気調和機１１０が備える利用側熱交換器（後述する）で熱交換された後、供給口１１１及び給気ダクト１０５を通じて、吹出口１０４から調和空気として映画館１００内に供給される。
【００１２】
空気調和機１１０は、例えば、映画館、劇場、病院、または、ショッピングセンター等、不特定多数の人が長時間滞在する大空間施設を有する構造物（ビル）２００の屋上に設置され、その直下あるいは近傍の空間を空気調和する。
図２及び図３は空気調和機１１０の構成を示す図であり、図２は空気調和機１１０の概略構成を示す図、図３は空気調和機１１０における空気の出入りを示す模式図である。
【００１３】
図２及び図３に示すように、空気調和機１１０は、１つの筐体１１４に熱源側ユニット１と利用側ユニット２とを一体に備えて構成される。
具体的には、筐体１１４内は、仕切板１１５によって区分けされており、一方の室（機械室）１１６に熱源側ユニット１が配置され、他方の室１１７に利用側ユニット２が配置されている。これら熱源側ユニット１及び利用側ユニット２は、冷媒配管１０で連結されて冷媒回路を形成している。
熱源側ユニット１は、図２に示すように、冷媒配管１０に設けられた圧縮機１１を備え、圧縮機１１の吸込側に、アキュムレータ１２が接続され、その吐出側には四方弁１３と熱源側熱交換器１４と電動膨張弁１５とが順に接続されている。また、熱源側ユニット１には、熱源側熱交換器１４へ向かって送風する熱源側送風機１６が配設されている。
一方、利用側ユニット２は、上記冷媒配管１０を介して電動膨張弁１５に接続される利用側熱交換器２１と、利用側熱交換器２１へ向かって送風する利用側送風機２２とを備えて構成され、当該利用側熱交換器２１は、上記冷媒配管１０を介して上記四方弁１３に接続されている。
【００１４】
冷房運転時には、図２に示す実線矢印の方向に冷媒が流れるように、四方弁１３が切り換えられる。圧縮機１１から吐出された高圧の冷媒は、四方弁１３を経て熱源側熱交換器１４に達し、熱源側熱交換器１４において凝縮されて電動膨張弁１５に送られる。この高圧の冷媒は電動膨張弁１５で膨張して利用側熱交換器２１に流入し、利用側熱交換器２１において蒸発することにより、利用側ユニット２内に導入された空気を冷却する。利用側熱交換器２１で蒸発した冷媒は圧縮機１１の吸込側に戻る。
また、暖房運転時には、図２に示す破線矢印の方向に冷媒が流れるように、四方弁１３が切り換えられる。圧縮機１１から吐出された高圧の冷媒は、利用側熱交換器２１に送られ、利用側熱交換器２１において凝縮することにより、利用側ユニット２内に導入された空気を加温する。利用側熱交換器２１で凝縮した冷媒は、電動膨張弁１５で膨張して熱源側熱交換器１４に流入し、熱源側熱交換器１４で蒸発した後、四方弁１３を介してアキュムレータ１２に送られ、圧縮機１１の吸込側に戻る。
【００１５】
空気調和機１１０には、利用側送風機２２の運転により、利用側熱交換器２１で冷房または暖房された調和空気を除菌する除菌ユニット１５０が設けられている。本実施形態では、除菌ユニット１５０は除菌システムに相当する。
除菌ユニット１５０は、図２に示すように、利用側ユニット２に導入された空気に活性酸素種を含む電解水を接触させて空気の除菌を行う空気除菌部４と、所定のイオン種を含む水を電気分解して活性酸素種を含む当該電解水を生成し、この電解水を上記空気除菌部４に循環供給する電解水循環供給部５とを備えている。
【００１６】
利用側ユニット２が設けられる他方の室１１７は、図３に示すように、仕切板１１８によって、さらに熱交換室１１９とチャンバとしての除菌室１２０とに区分けされている。
熱交換室１１９には、上記した内気導入口１１２及び外気導入口１１３が形成され、これら内気導入口１１２及び外気導入口１１３の下流側に利用側熱交換器２１が筋交い状に配置されている。熱交換室１１９には内気導入口１１２から映画館１００の館内空気が流入する一方、外気導入口１１３から外気が流入するので、利用側熱交換器２１は、内気導入口１１２からの内気及び外気導入口１１３からの外気が全て利用側熱交換器２１を通過するように配置されている。利用側熱交換器２１は、図３に示すように上記２つの開口部と利用側送風機２２との間に配置され、筋交いのように位置する。
また、仕切板１１８には、熱交換室１１９と除菌室１２０とを連通させる開口１１８Ａが形成されている。開口１１８Ａには利用側送風機２２が取り付けられ、利用側送風機２２の運転により、熱交換室１１９内の空気が開口１１８Ａを通じて除菌室１２０に送風される。除菌室１２０には利用側送風機２２の下流側に空気除菌部４が配置され、空気除菌部４の下流側には、供給口１１１を介して給気ダクト１０５（図１）に連通する後室１２１が形成されている。利用側ユニット２に導入された空気は、除菌室１２０を通過する際に空気除菌部４で電解水と接触することにより除菌され、除菌された空気が後室１２１、供給口１１１及び給気ダクト１０５を通じて、映画館１００内に循環供給される。
【００１７】
図４は、除菌ユニット１５０の概略構成を示す図である。
除菌ユニット１５０は、除菌室１２０内に配置される空気除菌部４と上記除菌室１２０に隣接して配置される電解水循環供給部５とを備える。電解水循環供給部５は、除菌能を有する電解水を生成して空気除菌部４に循環供給し、空気除菌部４は、電解水循環供給部５から供給される電解水と空気とを接触させて空気を除菌する。
空気除菌部４は、６つのエレメントユニット４０Ａ、４０Ｂ、４０Ｃ、４０Ｄ、４０Ｅ、４０Ｆを備えている。エレメントユニット４０Ａ〜４０Ｆは、それぞれ、２枚の気液接触部材を組み合わせて構成されており、本実施形態では合わせて１２枚の気液接触部材４１Ａ１〜４１Ｆ１、４１Ａ２〜４１Ｆ２が用いられている。６つのエレメントユニット４０Ａ〜４０Ｆは、除菌室１２０内の送風路のほぼ全面を覆うように並べて配設され、除菌室１２０内を通る空気が漏れなく気液接触部材４１Ａ１〜４１Ｆ２を通過する構成となっている。
また、エレメントユニット４０Ａ〜４０Ｆの下方にはエレメントユニット４０Ａ〜４０Ｆからドレンホース４５Ａ〜４５Ｆを介して流れた電解水を集めるドレンパン４４が配設されている。
【００１８】
気液接触部材４１Ａ１〜４１Ｆ２は、送風路１２０Ａを通過する空気に電解水を接触させる部材であり、これら気液接触部材４１Ａ１〜４１Ｆ２において送風路１２０Ａを流れる空気が所定の活性酸素種を含む電解水に接触することにより、空気中に含まれるウィルス等が不活化されて空気の除菌が行われる。
気液接触部材４１Ａ１〜４１Ｆ２は、ハニカム構造に似た３次元構造を持ったフィルター部材であり、気体に接触するエレメント部をフレームにより支持する構造を有する。エレメント部は、図示を省略するが、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水の滴下が可能で、目詰まりしにくい構造になっている。
エレメント部には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。また、エレメント部には親水性処理が施され、電解水に対する親和性が高められており、これによって、気液接触部材４１Ａ１〜４１Ｆ２の電解水の保水性（湿潤性）が保たれ、後述する活性酸素種（活性酸素物質）と空気との接触が長時間持続される。
【００１９】
気液接触部材の数は、除菌室１２０を通過する空気量に応じて決定されるものであり、送風路１２０Ａを通過する空気量と１枚あたりの気液接触部材の除菌能力（気体接触面積）とから好適な数を算出でき、当該空気を十分に除菌できる数の気液接触部材が除菌室１２０に配置される。本実施形態を例に挙げれば、１２枚の気液接触部材４１Ａ１〜４１Ｆ１、４１Ａ２〜４１Ｆ２が用いられる。
【００２０】
また、電解水生成装置としての電解水循環供給部５は、貯水タンク５１（水槽）と、貯水タンク５１内の水を電気分解して電解水を生成する電解ユニット５２と、貯水タンク５１内の電解水を空気除菌部４の各気液接触部材４１Ａ１、Ａ２〜４１Ｆ１、Ｆ２にそれぞれ供給する電解水供給管５６（供給管）と、電解水供給管５６上に設けられた電解水供給ポンプ５３と、電解水供給ポンプ５３の下流側で上記電解水供給管５６から分岐して電解ユニット５２に接続される第１分岐管５４と、ドレンパン４４に流下した水を貯水タンク５１に導く循環水戻り管５５と、上記電解ユニット５２、電解水供給ポンプ５３等の動作を制御する制御部６５と、を備える。
【００２１】
貯水タンク５１には、この貯水タンク５１に市水（水道水）等を供給する給水管５７と、給水弁５８とが接続され、給水弁５８は、貯水タンク５１内に設けられるフロートスイッチＦＳの動作に基づき、制御部６５によって開閉制御される。ここで、給水管５７に接続されて、貯水タンク５１に水を供給する給水源は、市水（水道水）或いは給水槽等に貯留された水等のいずれであってもよい。この給水槽等に貯留される水とは、水道水等のように塩化物イオン等のイオン種が予め含有されている水であってもよいし、井戸水等の塩化物イオンの濃度の希薄な水を使う場合には、この水に塩化物イオンを添加して水道水相当に調整された水であってもよい。本実施形態では、これらを総称して水という。
本構成では、貯水タンク５１には、井戸水等の塩化物イオン濃度の希薄な水を使用した場合であっても、この水に塩化物イオンを添加するために、予め所定の濃度に調整された食塩水を貯留した食塩水タンク５９が設けられ、この食塩水タンク５９には食塩水供給管６０を介して供給ポンプ６１が接続されており、供給ポンプ６１によって食塩水タンク５９内の食塩水が貯水タンク５１に供給される。貯水タンク５１に接続される食塩水供給管６０には逆止弁６２が設けられている。供給ポンプ６１は、例えば、電解ユニット５２で検出される導電率に基づいて制御部６５の制御によって動作するように構成されている。
なお、活性酸素種を効率よく発生させるために貯水タンク５１内の水に添加される電解質は食塩に限らず、他の電解質を用いることも可能であり、例えば、塩化カルシウムや塩化マグネシウムを用いてもよいし、他のハロゲンを含む含ハロゲン塩や、塩素及び他のハロゲンの各種ハロゲン酸塩を用いることも可能であり、ハロゲンを含まない電解質を用いてもよい。これらの電解質は水溶性であることが好ましい。
【００２２】
また、本実施形態では、貯水タンク５１の接続口に接続される電解水供給管５６は、６本の電解水供給管５６Ａ〜５６Ｆにそれぞれ分岐され、電解水供給ポンプ５３から送られた電解水が各電解水供給管５６Ａ〜５６Ｆに略均等に分流されるようになっている。電解水供給管５６Ａ〜５６Ｆは、それぞれエレメントユニット４０Ａ〜４０Ｆに対して電解水を供給する。電解水供給管５６Ａ〜５６Ｆにより供給された電解水は、気液接触部材４１Ａ１〜４１Ｆ２に浸潤され、これら気液接触部材４１Ａ１〜４１Ｆ２から流下してドレンパン４４に集められ、循環水戻り管５５を介して貯水タンク５１に戻る。
【００２３】
電解ユニット５２は、貯水タンク５１の側面に固定配置されている。具体的には、電解ユニット５２は、有底円筒形状の本体ケース７１と、本体ケース７１内に収納される少なくとも一対の電極板７２、７３とを備え、これら電極板７２、７３間に電圧を印加することにより、水を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００２４】
電極板７２、７３は、例えば、ベースがチタン（Ｔｉ）で構成された２枚の電極板であり、その表面には、それぞれ、イリジウム（Ｉｒ）を含む皮膜層、及び、白金（Ｐｔ）を含む皮膜層を有する。
上記電極板７２、７３間に電圧を印加すると、カソード電極（陰極）では、下記式（１）に示すように反応する。
２Ｈ2Ｏ＋２ｅ-→Ｈ2＋２ＯＨ-    ・・・（１）
アノード電極（陽極）では、下記式（２）に示すように反応する。
２Ｈ2Ｏ→Ｏ2＋４Ｈ+＋４ｅ-    ・・・（２）
これらカソード電極及びアノード電極での反応を合わせると、下記式（３）に示すように水が電気分解される。
２Ｈ2Ｏ→２Ｈ2＋Ｏ2    ・・・（３）
この反応とともに、アノード電極においては、水に含まれる塩素イオン（塩化物イオン：Ｃｌ-）が下記式（４）に示すように反応し、塩素（Ｃｌ2）が発生する。
２Ｃｌ-→Ｃｌ2＋２ｅ-    ・・・（４）
さらに、この塩素は下記式（５）に示すように水と反応し、次亜塩素酸（ＨＣｌＯ）と塩化水素（ＨＣｌ）が発生する。
Ｃｌ2＋Ｈ2Ｏ→ＨＣｌＯ＋ＨＣｌ    ・・・（５）
【００２５】
アノード電極で発生した次亜塩素酸（広義の活性酸素種）は、強力な酸化作用や漂白作用を有する。次亜塩素酸が溶解した水溶液、すなわち電解ユニット５２により生成される電解水は、ウィルス等の不活化、殺菌、有機化合物の分解等、種々の空気清浄効果を発揮する。このように、次亜塩素酸を含む電解水が電解水供給管５６Ａ〜５６Ｆを流れ、散水ボックスを介して気液接触部材４１Ａ１〜４１Ｆ２に滴下されると、利用側送風機２２により吹き出された空気が気液接触部材４１Ａ１〜４１Ｆ２において次亜塩素酸と接触する。これにより、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材４１Ａ１〜４１Ｆ２から排出される。
【００２６】
活性酸素種によるウィルス等の不活化の作用機序として、インフルエンザウイルスの例を挙げる。上述した活性酸素種は、インフルエンザウイルスの感染に必須とされるウィルスの表面蛋白（スパイク）を破壊、消失（除去）する作用を有する。この表面蛋白が破壊された場合、インフルエンザウイルスと、インフルエンザウイルスが感染するのに必要な受容体（レセプター）とが結合しなくなり、感染が阻止される。このため、空気中に浮遊するインフルエンザウイルスは、気液接触部材４１Ａ１〜４１Ｆ２において活性酸素種を含む電解水に接触することにより、感染力を失うこととなり、感染が阻止される。
【００２７】
従って、ルーフトップ型空気調和機１１０の除菌室１２０に気液接触部材４１Ａ１〜４１Ｆ２を備えたエレメントユニット４０Ａ〜４０Ｆ配置することにより、この除菌室１２０を通過する空気が気液接触部材４１Ａ１〜４１Ｆ２で除菌され、図１に示すように、この除菌された空気を映画館１００内で広く行き渡らせることが可能となり、大空間施設内での空気除菌及び脱臭を容易に、効率良く行うことができる。
【００２８】
ここで、電解ユニット５２内の電極板７２、７３のうち任意の側に正電位を与えるための電極の切り替えは、電極の極性を反転させることで行うことができ、本実施形態では、制御部６５によって電極板７２、７３に印加する電圧を変化（反転）させることにより、実行可能である。
【００２９】
また、電解水中の活性酸素種の濃度は、制御部６５の制御下、除菌するウィルス等を不活化させる濃度となるように調整される。活性酸素種の濃度の調整は、電極板７２、７３間に印加する電圧を調整して、電極板７２、７３間に流す電流値を調整することにより行われる。例えば、電極板７２に正の電位を与えて、電極板７２、７３間に流れる電流値を、電流密度で２０ｍＡ（ミリアンペア）／ｃｍ2（平方センチメートル）とすると、所定の遊離残留塩素濃度（例えば１ｍｇ（ミリグラム）／ｌ（リットル））を発生させる。また、電極板７２、７３間に印加する電圧を変更して、電流値を高くすることで、電解水中の次亜塩素酸の濃度を高い濃度に調整できる。
【００３０】
また、貯水タンク５１には、サイホン方式で貯水タンク５１内の水を排水する排水管６７が設けられている。排水管６７は、貯水タンク５１の底部から上方に延びる第１鉛直部６７Ａと、この第１鉛直部６７Ａに連なり略水平方向に延びる水平部６７Ｂと、この水平部６７Ｂに連なりタンク外で下方に延びる第２鉛直部６７Ｃとを備える。この水平部６７Ｂは、通常の貯水タンク５１内の制御水位よりも若干高い位置に設けられており、給水弁５８を開いてこの高さ位置まで給水することにより、サイホンの原理によって貯水タンク５１内の水が排出される。
【００３１】
続いて、空気調和機１１０のより具体的な実施態様を説明する。
図５は、本実施形態における電解水循環供給部５の構成及び設置状態を示す外観斜視図である。理解の便宜を図るため、図５には熱源側ユニット１及び利用側ユニット２と、電解水循環供給部５と熱源側ユニット１及び利用側ユニット２との間に敷設される配管類とを、併せて図示する。
図５に示すように、電解水循環供給部５は、熱源側ユニット１及び利用側ユニット２とは別体として構成されるケース５０を有し、このケース５０に、貯水タンク５１、食塩水タンク５９（水溶液タンク）、及び電装ボックス３０等を収容して構成される。電解水循環供給部５と除菌室１２０との間には、電解水循環供給部５から除菌室１２０に対して電解水を供給する電解水供給管５６、及び、除菌室１２０から電解水が電解水循環供給部５へ環流する循環水戻り管５５が接続されている。また、電解水循環供給部５には、市水を電解水循環供給部５へ供給する給水管５７が、減圧弁５７Ａを介して接続されている。さらに、電解水循環供給部５には、貯水タンク５１内の水位が所定水位を超えた場合に排水を行うオーバーフロー管６８、及び、貯水タンク５１内の電解水を排出する排水管６７が取り付けられている。また、除菌室１２０には、除菌室１２０内に納められた除菌ユニット１５０から空気調和機１１０の外へ電解水を排水する排水管６９が接続されている。
そして、電解水循環供給部５には、除菌室１２０に近い側に貯水タンク５１が配置され、貯水タンク５１の隣には食塩水タンク５９が並べて配置され、除菌室１２０とは反対側に電装ボックス３０が配置されている。
【００３２】
図６は、電解水循環供給部５の構成を示す分解斜視図である。
図６に示すように、電解水循環供給部５のケース５０は略直方体形状に形成され、上面が着脱可能な蓋（天面パネル）５０Ａとなっていて、底面を構成する底板５０Ｂの縁部に４つの側面がそれぞれ立設されている。これら４つの側面は、複数の配管が引き出される配管引出パネル５０Ｃ、配管引出パネル５０Ｃと対向する食塩水タンク側パネル５０Ｄ、ケース５０の前面に設けられ、電装ボックス３０の側に位置する電装ボックス側パネル５０Ｅ、及び、ケース５０の奥側の面、すなわち、除菌室１２０（図５）の側に位置する背面パネル５０Ｆにより構成されている。
【００３３】
配管引出パネル５０Ｃは、貯水タンク５１が設置された側の側面に相当し、電解水循環供給部５の外部（すなわち空気除菌部４等）と貯水タンク５１とに繋がる各種配管を通すための複数の孔が開口している。
蓋５０Ａは、屋外に設置される電解水循環供給部５への雨水及び塵埃の侵入を防止するため、ケース５０の上面および各側面の上端を覆っている。蓋５０Ａは、図示しないねじ等により固定され、このねじを取り外すことによって開くことが可能である。蓋５０Ａの開放状態では、ケース５０の内部に収容された電装ボックス３０、貯水タンク５１、電解ユニット５２、電解水供給ポンプ５３、食塩水タンク５９、供給ポンプ６１等の各部へのアクセスが可能となる。
【００３４】
ケース５０内においては、貯水タンク５１と食塩水タンク５９とが並べて配置され、この貯水タンク５１と食塩水タンク５９とが並ぶ方向に沿って、長手形状の箱である電装ボックス３０が配置されている。なお、この図６では、貯水タンク５１はその上面を開放して配置されているが、通常の使用態様では、この貯水タンク５１は、その上面を覆う蓋部材（図示略）により密閉されている。
電装ボックス３０は、その底面がケース５０の底板５０Ｂから浮くように、すなわち、底板５０Ｂとの間に所定の間隔を設けた状態で、ケース５０の側面にブラケット３５を介して固定されている。この電装ボックス３０の下方の空間には、供給ポンプ６１及び電解水供給ポンプ５３が並べて設置され、供給ポンプ６１は食塩水タンク５９側に、電解水供給ポンプ５３は貯水タンク５１側に位置している。本構成では、所定の間隔とは、供給ポンプ６１及び電解水供給ポンプ５３を設置するのに十分な隙間をいう。
ここで、電装ボックス３０が底板５０Ｂから浮いた位置で固定されているので、ケース５０内の各部から漏れたり、あふれたりした水や電解水或いは食塩水が、電装ボックス３０内部に進入することはなく、制御基板３１や電源回路部３３を確実に保護することができ、電源回路部３３等を貯水タンク５１や食塩水タンク５９と同一のケース５０に収める構成を可能としている。
【００３５】
供給ポンプ６１は、食塩水供給管６０を介して食塩水タンク５９の内部に繋がる吸込口６１Ａと、貯水タンク５１の食塩水投入部８５に繋がる吐出口６１Ｂとを有し、吸込口６１Ａから吸い込んだ食塩水を吐出口６１Ｂから吐出する。供給ポンプ６１の脚部６１Ｃは底板５０Ｂに固定されている。電解水供給ポンプ５３は、貯水タンク５１内の電解水を吸い込む吸込口５３Ｂと、吸込口５３Ｂから吸い込んだ電解水を電解水供給ポンプ５３へ吐出する吐出口５３Ａとを有する。ここで、吐出口５３Ａから吐出された電解水の一部は分岐して、上述のように電解ユニット５２へ供給される。電解水供給ポンプ５３の脚部５３Ｃは底板５０Ｂに固定されている。
【００３６】
貯水タンク５１及び食塩水タンク５９は、電装ボックス３０の背面側、すなわち電装ボックス３０と背面パネル５０Ｆとの間に配置されている。これら貯水タンク５１及び食塩水タンク５９は、電装ボックス３０内に収容される制御基板３１や電源回路部３３よりもメンテナンス頻度が少ないため、電装ボックス側パネル５０Ｅを通じてメンテナンスを行う必要はない。
【００３７】
また、貯水タンク５１の側面５１Ａ、すなわちケース５０の配管引出パネル５０Ｃ側の面には、オーバーフロー排出口８１、水抜き口８２、及び、循環水戻り口８４が設けられている。オーバーフロー排出口８１は、貯水タンク５１内の電解水の水位が、オーバーフロー排出口８１の高さを超えた場合に、電解水をオーバーフロー管６８（図５）に排出させる開口部である。循環水戻り口８４は、除菌室１２０からの循環水戻り管５５が接続される開口部である。また、水抜き口８２は、メンテナンス時に貯水タンク５１内の電解水を強制的に全量排水するための開口部であり、手作業により開閉されるコックが取り付けられている。
【００３８】
次に、貯水タンク５１、食塩水タンク５９、電解水供給ポンプ５３及び供給ポンプ６１の配管構成と、貯水タンク５１の内部構成について説明する。図７は、ケース内に配置された各機器の接続状態を示す図であり、図８は、貯水タンク５１の内部構成を示す図である。
図７に示すように、食塩水タンク５９の前面５９Ａ、すなわち電装ボックス３０（図６）に対向する面の下部には、食塩水排出口１３０が形成され、この食塩水排出口１３０と供給ポンプ６１の吸込口６１Ａとの間は食塩水供給管６０によって接続されている。また、供給ポンプ６１の吐出口６１Ｂには食塩水供給管６０の一端が接続され、この食塩水供給管６０の他端は、貯水タンク５１の前面５１Ｂの上部に形成された食塩水投入部８５に接続されている。このため、供給ポンプ６１の動作により、食塩水タンク５９内の食塩水は、食塩水供給管６０、食塩水投入部８５を通じて貯水タンク５１内に供給される。
【００３９】
貯水タンク５１は、図８に示すように、貯水タンク５１の側面５１Ａと略平行に配置される仕切壁６４を備え、この仕切壁６４により貯水タンク５１の内部が２つの室９０、９１に区分けされている。一方の室９０は、貯水タンク５１の側面５１Ａと仕切壁６４との間に配置されたフィルターユニット９２によって、さらに２つの室９０Ａ、９０Ｂに区分けされている。
フィルターユニット９２の上流側（一次側）に位置する一次室（第一の室）９０Ａ側の貯水タンク５１の前面５１Ｂには、電解ユニット５２が取り付けられており、この電解ユニット５２で生成された電解水が一次室９０Ａに流入する。
また、仕切壁６４には、フィルターユニット９２の下流側（二次側）に位置する二次室９０Ｂと上記他方の室９１とを連通する開口部６４Ａが形成されており、この開口部６４Ａを通じて二次室９０Ｂから他方の室９１へと電解水が流通可能となっている。このため、本実施形態では、二次室９０Ｂ及び他方の室９１がフィルターユニット９２により区分けされた第二の室９３として機能する。
仕切壁６４には一対のガイド６４Ｂ、６４Ｂが設けられており、これらガイド６４Ｂ、６４Ｂには、フィルターユニット９２が上下方向に着脱自在に支持されている。フィルターユニット９２は、フィルターフレーム９５と、このフィルターフレーム９５に支持されるスケールフィルター（フィルター）９６とを備えて構成され、電解水を生成する時に析出するスケールは、スケールフィルター９６で濾過される。本構成では、メンテナンス時にフィルターユニット９２を貯水タンク５１から取り外すことができ、スケールフィルター９６はフィルターフレーム９５に抜脱可能に介装されているため、フィルターの交換等のメンテナンスを容易に行うことができる。
【００４０】
他方の室９１側の貯水タンク５１の前面５１Ｂ下部には排水口１３２が形成され、この排水口１３２と電解水供給ポンプ５３の吸込口５３Ｂとの間は連結チューブ１３３で接続されている。電解水供給ポンプ５３の吐出口５３Ａには、空気除菌部４の各気液接触部材（機器）４１Ａ１、４１Ａ２〜４１Ｆ１、４１Ｆ２に電解水を供給するための電解水供給管５６が接続され、この電解水供給管５６は、吐出口５３Ａの下流側で第１分岐ソケット１３４にて分岐される。この第１分岐ソケット１３４に接続される第１分岐管５４は電解ユニット５２の電解水供給口７８に接続され、電解水供給ポンプ５３で送水される電解水の一部が再び電解ユニット５２で電解されて貯水タンク５１に戻される。電解ユニット５２で生成された電解水は、一次室９０Ａからスケールフィルター９６を介して、二次室９０Ｂ、他方の室９１と順次流れるため、電解水を生成する時に析出するスケールは、スケールフィルター９６により捕捉される。これによれば、スケールが二次室９０Ｂ、他方の室９１に流出することが防止されるため、当該スケールが貯水タンク５１の外部機器に流出することが防止される。ここで、本実施形態では、貯水タンク５１の側面下部に形成された排水口１３２よりも下流にある空気除菌部４及び電解水循環供給部５を備える除菌ユニット１５０の各機器を総して外部機器という。
また、他方の室９１側には、異なる高さ位置に複数のフロートスイッチ取付部８９が設けられ、図７で示すように、各フロートスイッチ取付部８９にフロートスイッチＦＳが取り付けられている。これらフロートスイッチＦＳは、貯水タンク５１内の下限水位と上限水位をそれぞれ検出するものである。
【００４１】
図９は、フィルターユニット９２の構成を示す視図である。
図９に示すように、フィルターユニット９２は、フィルターフレーム９５と、このフィルターフレーム９５に支持されるスケールフィルター９６とを備えて構成される。フィルターフレーム９５は、上述した仕切壁６４に設けられた一対のガイド６４Ｂ、６４Ｂに支持される基板部９５Ａと、この基板部９５Ａの略対角線上に設けられたフィルター支持部９５Ｂと、これら基板部９５Ａ及びフィルター支持部９５Ｂの上縁にそれぞれ連結されて当該フィルター支持部９５Ｂ上に延在し、給水ノズル（後述する）を支持するノズル支持板９５Ｃとを備えて一体に形成されている。
フィルター支持部９５Ｂは、略平行に配置された２枚の板部材である上板１４０及び下板１４１と、これら上板１４０及び下板１４１の上端部及び下端部をそれぞれ連結する上部連結板１４２及び下部連結板１４３とを備えて形成される。このフィルター支持部９５Ｂは、基板部９５Ａと結合されていない側の面に、上板１４０、下板１４１、上部連結板１４２及び下部連結板１４３で囲まれた着脱口１４４が形成されており、この着脱口１４４を通じて、上板１４０及び下板１４１の間にスケールフィルター９６を抜き差しすることができる。
上板１４０と下板１４１にはそれぞれ１つないし複数の孔１４５が設けられ、本実施形態では、水が下板１４１に設けられた孔１４５から、スケールフィルター９６を経由し、上板１４０に設けられた孔１４５を通り流れる構成となっており、スケールフィルター９６はその捕捉面であるフィルター下面９６Ａ（図１０参照）が、下板１４１側を向くように装着されている。
この構成によれば、スケールフィルター９６は、フィルター支持部９５Ｂによって貯水タンク５１の底面５１Ｃに対して傾斜して配置されているため、このスケールフィルター９６の捕捉面の有効面積を貯水タンク５１内で最大限に確保できる。また、スケールフィルター９６は、捕捉面としてのフィルター下面９６Ａが下方を向けて配置されているため、スケールフィルター９６のフィルター下面９６Ａで捕集されたスケールが、スケール自体の自重によって貯水タンク５１の底に向かって落ちやすく、スケールフィルター９６の目詰を防止することができる。
基板部９５Ａには、スケールフィルター９６の下流側に、仕切壁６４に設けられた開口部６４Ａと略適合する孔１４６が設けられている。
【００４２】
図１０は、貯水タンク５１の構成を示す断面視図である。
図１０に示すように、貯水タンク５１は、上述した給水管５７に接続される連結チューブ８６を備え、この連結チューブ８６は、貯水タンク５１の前面５１Ｂ上部を貫通して貯水タンク５１に延びている。連結チューブ８６の先端には、給水ノズル（給水口）８６Ａが接続され、この給水ノズル８６Ａは、フィルターフレーム９５のノズル支持板９５Ｃに形成された孔９５Ｃ１に嵌合されている。
貯水タンク５１内の水位は、フロートスイッチＦＳによって検出され、検出された水位が、図１０中にＬで示す下限水位まで低下すると、給水弁５８が開くことにより、給水管５７、連結チューブ８６、給水ノズル８６Ａを介して、二次室９０Ｂから貯水タンク５１内に水が供給される。また、検出された水位が、図１０中にＨで示す上限水位まで上昇すると、給水弁５８が閉じられ二次室９０Ｂへの給水が停止される。このため、本実施形態では、給水管５７、給水弁５８、連結チューブ８６及び給水ノズル８６Ａを備えて給水手段を構成する。
また、給水ノズル８６Ａは、貯水タンク５１内の水位が下限水位Ｌまで低下した場合に、水面よりも上方に露出したスケールフィルター９６の上方に配置されており、本実施形態では、スケールフィルター９６の長さＹの略中央上方に設けられている。
【００４３】
この構成によれば、給水時にスケールフィルター９６の上方からスケールフィルター９６の捕捉面とは反対側の面であるフィルター上面９６Ｂに向けて水が噴射されるため、この水の圧力によって、スケールフィルター９６が逆洗浄され、フィルター下面９６Ａに堆積したスケールを払拭（除去）することができる。特に、本実施形態では、給水ノズル８６Ａは、水面から露出したスケールフィルター９６上方に配置されており、給水時に噴射された水の圧力が直接スケールフィルター９６に作用するため、フィルター下面９６Ａに堆積したスケールを効果的に払拭（除去）することができる。
また、電解ユニット５２とフィルター下面９６Ａとの間には、排水管６７の第１鉛直部６７Ａが設けられているため、給水時にフィルター下面９６Ａから払拭されて一次室９０Ａ内に遊離されたスケールを、排水時に、貯水タンク５１内の水とともに排水管６７を通じて排出することができる。
このように、この構成によれば、給水時に給水される水の圧力を利用してフィルター下面９６Ａに堆積したスケールを払拭するため、例えば、マイコン制御により、貯水タンク５１内の水を定期的にサイホン排水するように設定し、スケールフィルター９６の洗浄と、貯水タンク５１内に浮遊するスケールの当該タンクからの排出とを自動で行うことができる。
【００４４】
次に、本実施形態における貯水タンク５１内の水の動作について説明する。
電解ユニット５２により生成され、制御部６５の制御下、除菌するウィルス等を不活化させる濃度となるように調整され、貯水タンク５１内に貯留された電解水は、電解水供給ポンプ５３の駆動により、一次室９０Ａから、スケールフィルター９６のフィルター下面９６Ａから入水しフィルター上面９６Ｂから出水し、二次室９０Ｂに流入し、フィルターフレーム９５と仕切壁６４にそれぞれ設けられた孔１４６と開口部６４Ａとを通り、他方の室９１へと順次流れ、排水口１３２から貯水タンク５１の外へ排水され、貯水タンク５１と外部機器との間で循環供給される。本構成では、電解水が生成される時に析出するスケールは、スケールフィルター９６によって捕捉され、外部機器へ流出することがない。
【００４５】
貯水タンク５１と外部機器との間で循環供給される電解水は、空気除菌部４で徐々に蒸発するため、貯水タンク５１内の水位が変動する。貯水タンク５１内の下限水位Ｌと上限水位Ｈは、当該タンク内に設けられたフロートスイッチＦＳの動作に基づきそれぞれ検出され、制御部６５によって給水管５７に接続される給水弁５８の開閉が制御される。貯水タンク５１の水位が下限水位Ｌに達すると給水弁５８が開かれ、給水管５７、連結チューブ８６を介して市水の供給を受ける給水ノズル８６Ａから水が噴射され、貯水タンク５１の給水が開始される。貯水タンク５１の水位が上限水位Ｈに達すると給水弁５８が閉じられ、給水が終了する。
図１０に示すように、水の供給は、貯水タンク５１内に設けられたスケールフィルター９６の捕捉面とは反対側の面であるフィルター上面９６Ｂに向かって当該フィルターの上方から水を噴射する給水ノズル８６Ａによって行われる。そのため、給水時に水がフィルター上面９６Ｂから入水し、フィルター下面９６Ａから一次室９０Ａ内に供給される構成となっているため、スケールフィルター９６が逆洗浄され、スケールフィルター９６の捕捉面であるフィルター下面９６Ａに堆積したスケール等の不溶物を給水時にフィルター捕捉面から払拭し、一次室９０Ａ内に遊離させることができる。フィルター下面９６Ａから払拭され、一次室９０Ａ内に遊離されたスケール等の不溶物は、その自重で貯水タンク５１の底に落とされる。そのため、フィルター洗浄やフィルター交換等のメンテナンス頻度を低減することができる。
【００４６】
一方、除菌ユニット１５０の停止中には、定期的（例えば、１日１回）に貯水タンク５１内の水がほぼ全量排出される。具体的には、除菌ユニット１５０の運転が停止されると、制御部６５の制御の下、給水弁５８が開かれ、給水管５７、連結チューブ８６を介して市水の供給を受ける給水ノズル８６Ａから貯水タンク５１内にサイホン排水が開始される必要水位（排水管６７の水平部６７Ｂよりも上方水位）まで水が供給される。サイホン排水が開始されるための必要水位まで給水されると、給水弁５８が閉じられ、給水が止まり、排水管６７を通じて貯水タンク５１内の水が排出される。
排水完了後、再び給水弁５８が開かれ、貯水タンク５１の上限水位Ｈまで給水ノズル８６Ａから水が貯水タンク５１内に供給される。このため、サイホン排水の必要水位まで水を給水する時及び、排水後に貯水タンク５１の上限水位Ｈまで水を給水する時に、スケールフィルター９６は逆洗浄され、捕捉面であるフィルター下面９６Ａに堆積したスケール等の不溶物をフィルター下面９６Ａから払拭することができる。さらに、サイホン排水によって、一次室９０Ａ内に遊離されたスケール等の不溶物を水とともに貯水タンク５１外へ排出することができる。そのため、スケール等の不溶物を貯水タンク５１外へ除去するためのタンク洗浄等のメンテナンス頻度を低減させることができ、メンテナンス労力を低減することができる。
【００４７】
また、本実施形態では、一次室９０Ａの側壁には、オーバーフロー排出口８１が、フィルターフレーム９５の上端面よりも低い位置に設けられている。このため、貯水タンク５１内の電解水の水位がオーバーフロー排出口８１の高さを超えた場合には、貯水タンク５１内の水はオーバーフロー排出口８１を通り、オーバーフロー管６８から排出されるため、貯水タンク５１内の水位がフィルターフレーム９５の上端面よりも上昇することがなく、一次室９０Ａ内に存在するスケール等の不溶物が、第二の室９３及び外部機器へ流出することを防ぐことが出来る。
【００４８】
以上、本実施形態によれば、貯水タンク５１と、この貯水タンク５１内の水を電気分解して活性酸素種を含む電解水を生成する電解ユニット５２と、電解ユニット５２が生成した電解水を空気除菌部４へ供給する電解水供給ポンプ５３とを備え、貯水タンク５１内を電解ユニット５２が設けられる第一の室としての一次室９０Ａと電解水供給ポンプ５３に連通する第二の室９３とに区分けすると共に、一次室９０Ａから第二の室９３へ流れる電解水中の不溶物を捕捉するスケールフィルター９６と、貯水タンク５１への給水時に、スケールフィルター９６の捕捉面とは反対側の面から当該スケールフィルター９６に向けて給水する給水手段とを備えるため、給水時にスケールフィルター９６が逆洗浄され、スケールフィルター９６の捕捉面に堆積したスケールを簡単に取り除くことができ、スケールフィルター９６のメンテナンス作業を軽減化することができる。
【００４９】
また、本実施形態によれば、スケールフィルター９６は、捕捉面となるフィルター下面９６Ａが下方に向けて配置され、給水手段は、スケールフィルター９６の上方に給水ノズル８６Ａを備えるため、スケールフィルター９６の上方から給水が行われることにより、給水ノズル８６Ａから噴射される水の圧力に加え、水に作用する重力を用いてスケールフィルター９６を逆洗浄することができ、スケールフィルター９６のフィルター下面９６Ａに付着したスケールを簡単に除去することができる。
【００５０】
また、本実施形態によれば、スケールフィルター９６は、フィルター下面９６Ａが貯水タンク５１の底面５１Ｃに対して斜めになるように設けられているため、スケールフィルター９６の有効面積を最大限に確保でき、貯水タンク５１内において安定した電解水の流れを得ることができる。
【００５１】
また、本実施形態によれば、貯水タンク５１は、電解ユニット５２とスケールフィルター９６のフィルター下面９６Ａとの間に、当該貯水タンク５１内の水を排水する排水管６７が設けられているため、貯水タンク５１の第一の室としての一次室９０Ａ内に遊離されたスケールをサイホン排水によって、排水管６７から水と共に排出できるため、貯水タンクの点検や洗浄等のメンテナンス頻度を少なくすることができる。
また、本実施形態によれば、スケールフィルター９６はフィルターフレーム９５に着脱自在に介装され、フィルターフレーム９５は仕切壁６４に設けられたガイド６４Ｂに抜き差し可能に装着されるため、フィルターフレーム９５を貯水タンク５１から取り外してメンテナンスを行うことができ、メンテナンス作業を容易化することができる。
【００５２】
また、本実施形態によれば、一つの大空間としての映画館１００に開口した複数の吹出口１０４に給気ダクト１０５を介して接続され、該給気ダクト１０５を介して各吹出口１０４に調和空気を供給する空気調和機１１０を設け、この空気調和機１１０から複数の吹出口１０４に向かう送風路に除菌室１２０を設け、除菌室１２０に電解水を供給する電解水生成装置が備える電解ユニット５２において、優れたメンテナンス性を確保するとともに、電解水生成能力を安定して発揮できる。これにより、大空間に除菌した空気を供給する除菌システムにおいて、大量の空気を安定して除菌することが可能となり、大空間における安定した空気除菌を実現できる。
【００５３】
以上、実施形態に基づいて本発明を説明したが、本発明はこれに限定されるものではない。本実施形態では、スケールフィルター９６を、フィルターフレーム９５に装着し、フィルターフレーム９５を、仕切壁６４に設けられたガイド６４Ｂに装着する構成としたが、これに限らず、仕切壁６４に、直接スケールフィルターを装着させる構成としても良い。もしくは、フィルターフレーム９５が仕切壁となるような構成とし、給水ノズル８６Ａをスケールフィルター９６の捕捉面とは反対側の面に向かって給水できるよう設ける構成としても良い。
また、本実施形態では、スケールフィルター９６の捕捉面を傾斜面としたが、これに限らず、スケールフィルター９６の捕捉面が下方を向き、貯水タンク５１の底面５１Ｃとスケールフィルター９６の捕捉面とが平行となるような構成としても良い。
また、本実施形態では、スケールフィルター９６の逆洗浄効率を上げるため、スケールフィルター９６から払拭されたスケールも下に落ちるよう、スケールフィルター９６の捕捉面が下方を向くよう設け、給水時に水がフィルター捕捉面と反対側の面に向かって噴射されるよう給水ノズル８６Ａをスケールフィルター９６の捕捉面と反対側の面の上方に設ける構成としたが、これに限らず、スケールフィルター９６をその捕捉面が電解ユニット５２側を向き、貯水タンク５１の底面５１Ｃに対してスケールフィルター９６を鉛直に設け、給水ノズル８６Ａを貯水タンク５１の側面に設け、スケールフィルター９６の捕捉面と反対側の面に向かって水が垂直に吹付けられる構成としても良い。
その他の配管構成や他の細部構成当についても任意に変更可能であることは勿論である。
【符号の説明】
【００５４】
１  熱源側ユニット
２  利用側ユニット
４  空気除菌部
５  電解水循環供給部（電解水生成装置）
４０Ａ、４０Ｂ、４０Ｃ、４０Ｄ、４０Ｅ、４０Ｆ  エレメントユニット
４１Ａ１、４１Ａ２、４１Ｂ１、４１Ｂ２、４１Ｃ１、４１Ｃ２、４１Ｄ１、４１  Ｄ２、４１Ｅ１、４１Ｅ２、４１Ｆ１、４１Ｆ２  気液接触部材
５１  貯水タンク（水槽）
５２  電解ユニット
５３  電解水供給ポンプ
５７  給水管（給水手段）
５８  給水弁（給水手段）
６１  供給ポンプ
６４  仕切壁
６５  制御部
６４Ａ  開口部
６４Ｂ  ガイド
６７  排水管
８１  オーバーフロー排出口
８６  連結チューブ（給水手段）
８６Ａ  給水ノズル（給水口、給水手段）
９０Ａ  一次室（第一の室）
９０Ｂ  二次室（第二の室）
９１  他方の室（第二の室）
９２  フィルターユニット
９３  第二の室
９５  フィルターフレーム
９５Ａ  基板部
９５Ｂ  フィルター支持部
９５Ｃ  ノズル支持板
９６  スケールフィルター（フィルター）
９６Ａ  フィルター下面(捕捉面)
９６Ｂ  フィルター上面
１００  映画館（大空間）
１１０  空気調和機
１２０  除菌室（チャンバ）
１５０  除菌ユニット（除菌システム）
Ｈ  上限水位
Ｌ  下限水位
ＦＳ  フロートスイッチ
【図１】
2011050810.tif 000003
【図２】
2011050810.tif 000004
【図３】
2011050810.tif 000005
【図４】
2011050810.tif 000006
【図５】
2011050810.tif 000007
【図６】
2011050810.tif 000008
【図７】
2011050810.tif 000009
【図８】
2011050810.tif 000010
【図９】
2011050810.tif 000011
【図１０】
2011050810.tif 000012